(57)【要約】      （修正有）【課題】ねじに特別な加工を施す必要がなく、しかもねじと頭部包持体との分別廃棄を容易にするための設計自由度を高くする。【解決手段】ねじ軸１１の一端に頭部１２を設けてなるねじ１と、ねじ１の頭部１２に装着された接地体である頭部包持体２とを具備してなる部品Ｂであり、頭部包持体２が、ねじ１の頭部１２を含む一端部分をねじ軸１１の軸心と交差する方向から挿入可能な挿入部Ｓと、挿入部Ｓに挿入されたねじ１が抜け出るのを規制する抜け止め部Ｔとを備えたものにした。【選択図】図１
2013000416.tif 000002
【特許請求の範囲】
【請求項１】
ねじ軸の一端に頭部を設けてなるねじと、このねじの頭部に装着された頭部包持体とを具備してなる部品であって、
前記頭部包持体が、前記ねじの頭部を含む一端部分をねじ軸の軸心と交差する方向から挿入可能な挿入部と、この挿入部に挿入された前記ねじが抜け出るのを規制する抜け止め部とを備えたものであることを特徴とする部品。
【請求項２】
前記頭部包持体が、樹脂により一体成形されたものである請求項１記載の部品。
【請求項３】
前記頭部包持体が、前記頭部におけるねじ軸側の端面を覆う第一壁と、前記頭部における反ねじ軸側の端面を覆う第二壁と、前記頭部の周囲に設けられ前記第一壁を第二壁に結合する側壁とを備えたものであり、前記挿入部が少なくとも前記第一壁と側壁の一部を除去して形成されたものである請求項１又は２記載の部品。
【請求項４】
前記抜け止め部が、部材の一時的な弾性変形を利用して挿入部に挿入された頭部に係合する抜け止め用の係止爪を備えたものである請求項１、２又は３記載の部品。
【請求項５】
前記頭部包持体の第二壁の外面を接地面とし、前記ねじを家具等の支持対象物に螺着してアジャスタとして用いられる部品であって、
前記接地面が床面に接地している状態では、前記係止爪が弾性変形し得ないように構成されている請求項３又は４記載の部品。
【請求項６】
前記係止爪が、前記第二壁に片持ち的に支持されて下方に弾性変形可能なものであり、前記係止爪の下端が前記第二壁の接地面と略面一に設定されたものである請求項５記載の部品。
【発明の詳細な説明】
【技術分野】
【０００１】
本発明は、家具等に設けられるアジャスタや、各種のグリップ等として好適に用いられる部品に関するものである。
【背景技術】
【０００２】
例えば、従来のアジャスタとして、ねじ軸の一端に頭部を設けてなるねじと、このねじの頭部に装着された接地体とを具備してなるものが知られている（特許文献１参照）。このものは、ねじの頭部の側面に凹溝を形成しており前記接地体をねじの頭部に装着した状態で、接地体に設けた爪を凹溝に係合させるようにしている。そのため、ねじの頭部に凹溝を形成するための特別な機械加工を施すことが必要になるだけでなく、爪を外部に表出しにくい内部位置に配置する必要が生じるため、分別廃棄の際に接地体をねじから分離する操作を容易に行えるようにするための設計が難しいという問題がある。
【０００３】
また、他のアジャスタとして、ねじ軸の一端に頭部を設けてなるねじと、このねじの頭部を上下から挟持するように装着される第一、第二の接地体とを備えてなるものも知られている（特許文献２参照）。ところが、このものは第一の接地体に設けた爪を、第二の接地体に設けた凹部に係合させて第一、第二の接地体を前記ねじに装着するようにしている。そのため、爪を接地体の内部位置に配置する必要が生じるため、かかるアジャスタも分別廃棄の際に接地体をねじから分離する操作を容易に行えるようにするための設計が難しいという問題がある。
【０００４】
また、前記いずれのアジャスタも、ねじの軸心方向に離脱しようとする力が接地体の爪に直接作用することになる。そのため、かかる作用に対応するための弾性爪の形状や配設位置や爪の配置数等に関する制約が多くなり、分別廃棄のし易さを優先した設計の自由度が低いという問題も指摘されている。
【０００５】
以上の事情は、ねじ軸の一端に頭部を有したねじと、このねじの頭部を含む一端部分に前記接地体に相当する他の頭部包持体を装着するようにしたグリップ等の部品についても同様であり、何らかの対策が望まれている。
【先行技術文献】
【特許文献】
【０００６】
【特許文献１】特開２０００−２７９２４９号公報
【特許文献２】特開２００１−１７８５７０号公報
【発明の概要】
【発明が解決しようとする課題】
【０００７】
本発明は、以上のような事情に着目してなされたもので、ねじに特別な加工を施す必要がなく、しかも、ねじと頭部包持体との分別廃棄を容易にするための設計の自由度を高くすることができる部品を提供することにある。
【課題を解決するための手段】
【０００８】
すなわち、本発明の部品は次のような構成をなしたものである。
【０００９】
請求項１に係る部品は、ねじ軸の一端に頭部を設けてなるねじと、このねじの頭部に装着された頭部包持体とを具備してなる部品であって、前記頭部包持体が、前記ねじの頭部を含む一端部分をねじ軸の軸心と交差する方向から挿入可能な挿入部と、この挿入部に挿入された前記ねじが抜け出るのを規制する抜け止め部とを備えたものである。
【００１０】
請求項２に係る部品は、請求項１に係る構成において、前記頭部包持体が、樹脂により一体成形されたものである。
【００１１】
請求項３に係る部品は、請求項１又は２に係る構成において、前記頭部包持体が、前記頭部におけるねじ軸側の端面を覆う第一壁と、前記頭部における反ねじ軸側の端面を覆う第二壁と、前記頭部の周囲に設けられ前記第一壁を第二壁に結合する側壁とを備えたものであり、前記挿入部が少なくとも前記第一壁と側壁の一部を除去して形成されたものである。
【００１２】
請求項４に係る部品は、請求項１、２又は３に係る構成において、前記抜け止め部が、部材の一時的な弾性変形を利用して挿入部に挿入された頭部に係合する抜け止め用の係止爪を備えたものである。
【００１３】
請求項５に係る部品は、請求項３又は４に係る構成において、前記頭部包持体の第二壁の外面を接地面とし、前記ねじを家具等の支持対象物に螺着してアジャスタとして用いられる部品であって、前記接地面が床面に接地している状態では、前記係止爪が弾性変形し得ないように構成されているものである。
【００１４】
請求項６に係る部品は、請求項５に係る構成において、前記係止爪が、前記第二壁に片持ち的に支持されて下方に弾性変形可能なものであり、前記係止爪の下端が前記第二壁の接地面と略面一に設定されたものである。
【発明の効果】
【００１５】
以上説明したように本発明によれば、ねじに加工を施す必要がなく、しかも、ねじと頭部包持体との分別廃棄を容易にするための設計の自由度を高くすることができる部品を提供することができる。
【図面の簡単な説明】
【００１６】
【図１】本発明の一実施形態を示す斜視図。
【図２】同実施形態における側断面図。
【図３】同実施形態における斜視図。
【図４】同実施形態における頭部包持体を示す斜視図。
【図５】同実施形態における頭部包持体を示す平面図。
【図６】同実施形態における頭部包持体を示す正面図。
【図７】図６におけるＡ−Ａ線断面図。
【図８】同実施形態における斜視図。
【図９】本発明の第二実施形態を示す斜視図。
【図１０】本発明の第三実施形態を示す斜視図。
【図１１】本発明の第四実施形態を示す斜視図。
【発明を実施するための形態】
【００１７】
以下、本発明の一実施形態（第一実施形態）を、図１〜図８を参照して説明する。
【００１８】
この実施形態は、本発明を、支持対象物である家具Ｋ等を支持するための部品たるアジャスタＢに適用した場合のものである。
【００１９】
このアジャスタＢは、ねじ軸１１の一端に頭部１２を設けてなるねじ１と、このねじ１の頭部１２に装着された頭部包持体である接地体２とを具備してなるもので、前記ねじ軸１１を家具ＫのベースフレームＫ１に設けた固定ナットＮに螺着して使用される。
【００２０】
ねじ１は、金属製のもので、外周に雄ねじ溝１１ｍを刻設したねじ軸１１と、このねじ軸１１の一端に一体に形成した扁平円盤状をなす頭部１２とを具備したものである。ねじ１の頭部１２は、ねじ軸１１よりも大きな外形寸法を備えたもので、ねじ軸１１側に向く面である端面１２ａと、反ねじ軸側すなわちねじ軸１１が存する側と逆側を向く面である端面１２ｂと、これら端面１２ａ、１２ｂ間に位置してなり、ねじ軸１１の軸心と略直交する方向に向く面を有する側面１２ｃとを備えている。
【００２１】
ねじ軸１１の一端部すなわち頭部１２側の端部及び頭部１２には、このアジャスタＢを家具Ｋの固定ナットＮに装着する際に用いる工具（図示せず）装着用の穴、より具体的に言えば、本実施形態では六角穴１３が形成されている。また、ねじ軸１１の他端部すなわち先端側の端部には、このアジャスタＢを家具Ｋに対して上下方向に螺合進退させて家具Ｋの接地状態を調整する際に用いる工具Ｌ装着用の穴、より具体的に言えば、本実施形態では六角穴１４が形成されている。
【００２２】
接地体２は、樹脂により一体成形されたもので、ねじ１の頭部１２を含む一端部分をねじ軸１１の軸心と交差する方向から挿入可能な挿入部Ｓと、この挿入部Ｓに挿入されたねじ１が抜け出るのを規制する抜け止め部Ｔとを備えたものである。
【００２３】
詳述すれば、接地体２は、ねじ１の頭部１２におけるねじ軸１１側の端面１２ａを覆う第一壁２１と、ねじ１の頭部１２における反ねじ軸側の端面１２ｂを覆う第二壁２２と、ねじ１の頭部１２の側面１２ｃ側の周囲に設けられ前記第一壁２１を第二壁２２に結合する側壁２３とを備えたものであり、挿入部Ｓが少なくとも第一壁２１と側壁２３の一部を除去して形成されたものである。なお、「除去して」とは、成形後に除去すること、及び、成形時にあらかじめ該当部分を除去していることを含んだ概念である。
【００２４】
具体的には、挿入部Ｓは、第一壁２１と第二壁２２との間に設けられねじ１の頭部１２を受け入れる主挿入部分Ｓ１と、第一壁２１に設けられねじ１のねじ軸１１を受け入れる副挿入部分Ｓ２とを備えたものである。
【００２５】
主挿入部分Ｓ１は、ねじ１の頭部１２の直径よりも若干大きな幅寸法を有したもので、主挿入部分Ｓ１を構成する側壁２３における内側面２３１の奥側には頭部１２を回転可能に包持するようにして、挿入された頭部１２の奥方向への移動を規制する半円弧状の奥内側面２３１ａを有している。主挿入部分Ｓ１における側壁２３の内側面２３１は全体として平面視略Ｕ字状に設けられている。副挿入部分Ｓ２は、ねじ軸１１の直径よりも若干大きな幅寸法を有したもので、副挿入部分Ｓ２を構成する第一壁２１における内側面２１１の奥側にはねじ軸１１を回転可能に包持するようにして、挿入されたねじ軸１１の奥方向への移動を規制する半円弧状の奥内側面２１１ａを有している。換言すれば、副挿入部分Ｓ２における第一壁２１の切欠面である内側面２１１は全体として平面視略Ｕ字状をなしている。
【００２６】
第二壁２２は、外面２２１を床面Ｆに対する接地面としたものであり、本実施形態では略円盤状をなしたものである。第二壁２２は、中心部分に工具挿入用の孔２２２が形成されている。また、側壁２３における挿入部Ｓの入口ｇ側と反対側の部分には、貫通孔２３２が形成されており、必要に応じて工具等を挿通可能なものにしている。
【００２７】
抜け止め部Ｔは、部材の一時的な弾性変形を利用して挿入部Ｓに挿入されたねじ１の頭部１２に係合する抜け止め用の係止爪Ｔ１を備えたものである。係止爪Ｔ１は、挿入部Ｓの入口ｇ付近に配されている。詳述すれば、接地体２の第二壁２２における周縁近傍部分に当該第二壁２２の内面から外面に貫通する平面視略コ字型をなすスリットＳＬを形成し、そのスリットＳＬの内側を抜け止め用の係止爪Ｔ１としている。
【００２８】
係止爪Ｔ１は、一端を第二壁２２に片持ち的に支持されて下方に弾性変形可能なものであり、第二壁２２の内面２２３よりも上側に突出する突出部Ｔ１１を備えているとともに、第二壁２２と接続する部分には、係止爪Ｔ１の上下方向への弾性変形を許容するための比較的薄肉に形成されたヒンジ部Ｔ１２を備えている。また、係止爪Ｔ１の自由端側には、内側に挿入されたねじ１の頭部１２の側面１２ｃと係わり合う内側面Ｔ１３を備えるとともに、下方に突出させてなる下方突出部Ｔ１４を備えている。係止爪Ｔ１の下端Ｔ１５すなわち下方突出部Ｔ１４の下端Ｔ１５は、第二壁２２の外面である接地面２２１と略面一になるように設けられており、接地面２２１が床面Ｆに接地している状態では、係止爪Ｔ１が下方に弾性変形し得ないように構成されている。
【００２９】
さらに、係止爪Ｔ１は、その上面に面位置が外方から内方に向けて漸次高くなるように傾斜させた案内面Ｔ１６を備えている。しかして、ねじ１を接地体２に取り付ける際は、案内面Ｔ１６がねじ１からの力を受けることによって、係止爪Ｔ１が下方に一時的に弾性変形し得るようになっている。係止爪Ｔの下面中間部分には、係止爪Ｔの弾性変形を助長するための肉盗み部Ｔ１７を設けている。
【００３０】
このような構成のものであれば、接地体２の接地面２２１を開放した状態で、ねじ１の頭部１２を、接地体２の挿入部Ｓにねじ軸１１の軸心と直交する方向から挿入すると、挿入されるねじ１の頭部１２によって係止爪Ｔ１の案内面Ｔ１６が押圧され、係止爪Ｔ１が下方に弾性変形する。そのため、ねじ１の頭部１２を挿入部Ｓの奥端まで挿入することができる。そして、ねじ１の頭部１２が挿入部Ｓの奥端に達した段階で、ねじ１の頭部１２が係止爪Ｔ１を通過することになり、係止爪Ｔ１は自らの弾性反発力により初期状態である第二壁２２の内面２２３よりも上方に突出した部分を有する突出状態に復帰する。その結果、ねじ１の頭部１２は、係止爪Ｔ１の内側面Ｔ１３に阻止されて外側方に抜け出ることが禁止される。
【００３１】
このようにして完成された部品であるアジャスタＢは、家具ＫのベースフレームＫ１の固定ナットＮのめねじ孔に螺着される。すなわち、ベースフレームＫ１を裏返す等した状態で、ベースフレームＫ１の固定ナットＮに、アジャスタＢのねじ軸１１を第二壁２２に形成された工具挿入用の孔２２２に挿入した工具（図示せず）を用いて仮装着する。しかる後に、ベースフレームＫ１を正規の姿勢で床面Ｆ上に載置し、ねじ軸１１の他端に設けた工具挿通用の穴１４に装着した工具Ｌを用いてねじ１を螺合進退させて家具Ｋの接地状態を調整する。
【００３２】
この実施形態においては、ねじ軸１１が接地体２に対して空転し得るようになっている、換言すれば、ねじ１と接地体２とを相対回転できるようにしているので、比較的小さな力で調整作業を行うことができる。そして、接地状態の調整が終わり、接地体２の接地面２２１が床面Ｆに接地した状態においては、係止爪Ｔ１の下端Ｔ１５すなわち下端突出部Ｔ１４の下端Ｔ１５が床面Ｆと係り合い係止爪Ｔ１が下方に弾性変形し得なくなる。そのため、本実施形態における抜け止め部Ｔであれば、接地体２がねじ１から外れることを確実に禁止する。
【００３３】
このようにしてなるアジャスタＢを家具Ｋから取り外して廃棄する場合には、接地体２の接地面２２１を開放した状態で、係止爪Ｔ１の上側部分を工具等の何らかの手段により下方に押圧すればねじ１を接地体２の挿入部Ｓから側方に簡単に抜き取ることができ、金属製のねじ１と合成樹脂製の接地体２とを分別して廃棄すること可能となる。
【００３４】
しかして、このようなアジャスタＢであれば、ねじ１と接地体２との間に軸心方向の外力が作用しても、その力が直接的に係止爪Ｔ１に作用することはない。また、この係止爪Ｔ１は、接地体２の挿入部Ｓの入口ｇ付近に設けておけばよいので外部からアクセスしやすい位置に配置することも容易である。したがって、係止爪Ｔ１の形状及び配置位置等の分別廃棄を容易にするための設計を、比較的容易にすることができ、設計の自由度が高くなる。特に、この実施形態のものは、接地体２において係止爪Ｔ１の上面部分が視認可能になるように配されており、接地面２２１を床面Ｆ等から離間した状態で係止爪Ｔを押圧すれば、簡単にねじ１から接地体２を離脱させることができる。
【００３５】
なお、図８に示すように、アジャスタＢにおける接地体２に対して、外側からキャップＣを取り付けることにより、見栄えを良好にしたり、ねじ１が接地体２から抜け出ることをより好適に抑制したりすることができるものとなる。このキャップＣは、ねじ１が挿入された状態における接地体２の挿入部Ｓの空間形状に略対応させて形成されたものである。ところで、図８に示されるキャップＣは、接地体２と別体のものとしているがこのようなものには限られない。例えば、キャップＣを接地体２と一体に形成したものとしてもよい。すなわち、キャップと接地体との境界部分をヒンジ部とし、このヒンジ部を支点としてキャップを接地体に対して開閉可能にしたものなどが考えられる。
【００３６】
このように、本実施形態に係る部品であるアジャスタＢは、頭部包持体である接地体２が、ねじ１の頭部１２を含む一端部分をねじ軸１１の軸心と交差する方向から挿入可能な挿入部Ｓを備えているので、ねじ１を接地体２に取り付ける際には、ねじ軸１１の軸心と交差する方向からねじ１を接地体２に対して挿入することにより取り付けることができるとともに、ねじ１を接地体２から離脱させる際にも、ねじ軸１１の軸心と交差する方向にねじ１を接地体２に対して移動させることによりねじ１を接地体２から離脱させることができる。
【００３７】
挿入部Ｓに挿入されたねじ１が抜け出るのを規制する抜け止め部Ｔを備えているので、ねじ１がねじ軸１１の軸心と交差する方向に移動して接地体２から抜け出ることを禁止することができる。
【００３８】
頭部包持体である接地体２が、樹脂により一体成形されたものであるので、比較的軽量であり、且つ、強度に優れたものとすることができるとともに、部品点数を少なくできるので取り扱いに優れたものとなる。
【００３９】
頭部包持体である接地体２が、頭部１２におけるねじ軸１１側の端面１２ａを覆う第一壁２１と、頭部１２における反ねじ軸側の端面１２ｂを覆う第二壁２２と、頭部１２の周囲に設けられ第一壁２１を第二壁２２に結合する側壁２３とを備えたものであり、挿入部Ｓが少なくとも第一壁２１と側壁２３の一部を除去して形成されたものであるため、ねじ軸１１の軸心方向への外力を第一壁２１と第二壁２２とで好適に受け止めることができる。抜け止め部Ｔが、部材の一時的な弾性変形を利用して挿入部Ｓに挿入されたねじ１の頭部１２に係合する抜け止め用の係止爪Ｔ１を備えたものであるため、ねじ１の頭部１２の移動を規制してねじ１が接地体２から離脱することを抑制することができる。
【００４０】
本実施形態に示される部品は、接地体２の第二壁２２の外面を接地面２２１とし、ねじ１を家具Ｋ等の支持対象物に螺着してアジャスタＢとして用いられるものであり、接地面２２１が床面Ｆに接地している状態では、係止爪Ｔ１が弾性変形し得ないように構成されている、より具体的には、係止爪Ｔ１が、第二壁２２に片持ち的に支持されて下方に弾性変形可能なものであり、係止爪Ｔ１の下端Ｔ１５が第二壁２２の接地面２２１と略面一に設定されたものであるため、アジャスタＢが床面Ｆに設置されている状態において、ねじ１が接地体２から外れることを好適に抑制することができる。
【００４１】
なお、本発明は、以上に詳述した実施形態に限られるものではない。
【００４２】
以下、本発明の第二実施形態について図９を参照して説明する。なお、上述した第一実施形態と同一又は相当する部分には同一の符号を付して説明を省略する。
【００４３】
第二実施形態に示すものは、ねじ１と接地体２とを相対回転できないようにしたものであり、換言すれば、ねじ１と接地体２とを一体的に回転させ得るようにしたものである。すなわち、図９に示すものは、ねじ１の頭部１２を六角柱状のものにし、挿入部Ｓの幅寸法すなわち側壁２３の内側面２３１におけるねじ１の頭部１２を挟む位置にある対向面間の距離を、六角柱状をなすねじ１の頭部１２の幅寸法すなわち側面１２ｃにおいて相反する方向に向く面同士の間の離間距離に略対応させている。このようにしておけば、ねじ１の頭部１２を挿入部Ｓに挿入するだけで、ねじ１と接地体２とを相対回転し得ないように取り付けることができる。なお、この実施形態では、側壁２３の内側面２３１における奥内側面２３１ａもねじ１の頭部１２の側面１２ｃと面的に接触できるように形成されている。また、この実施形態の接地体２の上面には、この接地体２とねじ１とをともに回転させて高さ調整を行うための工具が係わり合う工具係合部３が一体に形成されている。なお、この実施形態においては、工具係合部３の形状は概ね六角柱状をなしている。
【００４４】
続いて、本発明の第三実施形態について図１０を参照して説明する。なお、上述した第一実施形態と同一又は相当する部分には同一の符号を付して説明を省略する。
【００４５】
第三実施形態に示すものは、接地体２にキャップＣを取り付けることによって全体形状を略円盤状に形成したものである。すなわち、接地体２の形状は図示例に示すように種々のものを採用することができ、更には、ねじ１を挿入した後に形成される挿入部Ｓの余剰空間部分に、キャップＣを装着することによってより一層好適な外観を備えたものとすることができる。なお、この実施形態では、第二実施形態のものと同様に、ねじ１と接地体２とを相対回転できないようにしたものであるが、ねじ１と接地体２とを相対回転可能に構成しても良いのはもちろんのことである。
【００４６】
次に、本発明の第四実施形態について、図１１を参照して説明する。なお、上述した第一実施形態と同一又は相当する部分には同一の符号を付して説明を省略する。
【００４７】
第四実施形態は、本発明を、取付対象物Ｗに取り付けて手を掛けるための部分を構成したり、或いは、取付対象物Ｗを動かすための操作部分を構成したりするために用いられる部品であるグリップＧに適用した場合のものである。
【００４８】
このグリップＧは、頭部包持体２にキャップＣを装着することによって全体形状を略円盤状に形成し、手で把持するための把持部Ｈを構成している。頭部包持体２及びキャップＣを備えた把持部Ｈの外周面には、手の滑り止めに供される溝Ｖが形成されている。そして、頭部包持体２に装着されたねじ１は、その頭部１２を角柱状に形成して頭部包持体２に対して相対回転できないようにしてあり、ねじ１と頭部包持体２とを一体的に回転できるようにしている。グリップＧが取り付けられる取付対象物Ｗには、例えば、家具等の什器や、壁等の建築物種々のものが考えられる。
【００４９】
本発明は、以上に詳述した各実施形態以外にも種々の態様が考えられるのはもちろんのことである。
【００５０】
部品には、ねじをナットに螺着させることによって使用されるものであればよく、上述したアジャスタとして用いられるものやグリップとして用いられるものに限定されるものではない。このようなものには、例えば、開いた扉が他の部位にぶつかって傷付くことを抑制するドアストッパ等が挙げられる。このドアストッパに使用する場合には、開いた扉に当接する頭部包持体の外面を比較的軟質な樹脂により形成しておくことが好ましい。
【００５１】
頭部包持体は、ねじの頭部に装着されるものであればよく、その材質や形状は種々のものを適用することができる。
【００５２】
頭部包持体の挿入部は、ねじの頭部を含む一端部分をねじ軸の軸心と交差する方向から挿入可能なものであればよく、本実施形態に示すような軸心に対して略９０度の角度から挿入可能なものには限定されない。
【００５３】
抜け止め部は、挿入部に挿入されたねじが抜け出るのを規制することができれば良く、本実施形態に示すものには限定されない。例えば、抜け止め部は、頭部包持体と一体に形成されたもので無くても良く、別体のものであってもよい。また、抜け止め部の形状も種々のものを適用することができるのはもちろんのことである。また、本実施形態では、頭部包持体に単一の係止爪を配していたが係るものに限定されるものではなく、係止爪を複数配するようにしても良い。
【００５４】
その他、各部の具体的構成についても上記実施形態に限られるものではなく、本発明の趣旨を逸脱しない範囲で種々変形が可能である。
【符号の説明】
【００５５】
１…ねじ
２…頭部包持体（接地体）
１１…ねじ軸
１２…頭部
Ｂ…部品（アジャスタ）
Ｓ…挿入部
Ｔ…抜け止め部
【図１】
2013000416.tif 000003
【図２】
2013000416.tif 000004
【図３】
2013000416.tif 000005
【図４】
2013000416.tif 000006
【図５】
2013000416.tif 000007
【図６】
2013000416.tif 000008
【図７】
2013000416.tif 000009
【図８】
2013000416.tif 000010
【図９】
2013000416.tif 000011
【図１０】
2013000416.tif 000012
【図１１】
2013000416.tif 000013